(57)【要約】【課題】  表示画面に表示された特定の表示位置を固定させ、該固定した表示位置を起点として表示画面を移動させ、表示画面の移動操作に更なる汎用性を持たせた液晶表示装置を提供する。【解決手段】  表示画面（４１）に表示された部分画像領域の特定の表示位置を固定し、該固定した部分画像領域の特定の表示位置を起点とし、表示画面（４１）を平行移動させ、該平行移動させた表示画面（４１）の位置に対応した仮想画像領域（４２）の部分画像領域を表示部（４）の表示画面（４１）上に表示する。【選択図】  図１
2006208566.tif 000002
【特許請求の範囲】
【請求項１】
表示画面よりも大きい画像領域の仮想画像領域を構築し、該構築した仮想画像領域に沿って前記表示画面を移動させ、該移動させた前記表示画面の位置に対応した前記仮想画像領域の部分画像領域を前記表示画面に表示する液晶表示装置であって、
前記表示画面に表示された前記部分画像領域の特定の表示位置を固定する固定手段と、
前記固定手段により固定した前記部分画像領域の特定の表示位置を起点とし、前記表示画面を移動させ、該移動させた前記表示画面の位置に対応した前記仮想画像領域の部分画像領域を表示する表示手段と、
を有することを特徴とする液晶表示装置。
【請求項２】
前記表示画面を移動させた際の移動量を測定する測定手段を有し、
前記表示手段は、
前記測定手段により測定された前記移動量を、前記固定手段により固定した前記部分画像領域の特定の表示位置に加算し、前記移動させた前記表示画面の位置に対応した前記仮想画像領域の部分画像領域を表示することを特徴とする請求項１記載の液晶表示装置。
【請求項３】
前記仮想画像領域の中から前記表示画面に表示する前記部分画像領域を指定する指定手段を有し、
前記固定手段は、
前記指定手段により指定されて前記表示画面に表示された前記部分画像領域を基に、前記部分画像領域の特定の表示位置を固定することを特徴とする請求項１記載の液晶表示装置。
【請求項４】
前記測定手段は、
前記固定手段により前記部分画像領域の特定の表示位置を固定した後に、該固定した前記部分画像領域の特定の表示位置を起点とし、前記表示画面を移動させた際の移動量を測定することを特徴とする請求項１記載の液晶表示装置。
【請求項５】
被写体に光を照射する照射手段と、前記被写体から反射した反射光を受光する受光手段と、を前記表示画面の裏側に実装し、
前記測定手段は、
前記受光手段により受光した反射光を基に取得した前記被写体の移動量を基に、前記表示画面を移動させた際の移動量を測定することを特徴とする請求項１または４記載の液晶表示装置。
【請求項６】
前記測定手段は、前記表示画面の裏側に実装されたトラックボールの回転量を基に、前記表示画面を移動させた際の移動量を測定することを特徴とする請求項１または４記載の液晶表示装置。
【請求項７】
請求項１から６の何れか１項に記載の液晶表示装置を搭載したことを特徴とする移動体通信端末装置。
【請求項８】
表示画面よりも大きい画像領域の仮想画像領域を構築し、該構築した仮想画像領域に沿って前記表示画面を移動させ、該移動させた前記表示画面の位置に対応した前記仮想画像領域の部分画像領域を前記表示画面に表示する液晶表示装置における液晶表示方法であって、
前記表示画面に表示された前記部分画像領域の特定の表示位置を固定する固定工程と、
前記固定工程により前記表示画面に固定した前記部分画像領域の特定の表示位置を起点とし、前記表示画面を移動させ、該移動させた前記表示画面の位置に対応した前記仮想画
像領域の部分画像領域を前記表示画面に表示する表示工程と、
を前記液晶表示装置が行うことを特徴とする液晶表示方法。
【請求項９】
前記表示画面を移動させた際の移動量を測定する測定工程を前記液晶表示装置が行い、
前記表示工程は、
前記測定工程により測定された前記移動量を、前記固定工程により前記表示画面に固定した前記部分画像領域の特定の表示位置に加算し、前記移動させた前記表示画面の位置に対応した前記仮想画像領域の部分画像領域を前記表示画面に表示することを特徴とする請求項８記載の液晶表示方法。
【請求項１０】
前記仮想画像領域の中から前記表示画面に表示する前記部分画像領域を指定する指定工程を前記液晶表示装置が行い、
前記固定工程は、
前記指定工程により指定されて前記表示画面に表示された前記部分画像領域を基に、前記部分画像領域の特定の表示位置を固定することを特徴とする請求項８記載の液晶表示方法。
【請求項１１】
前記測定工程は、
前記固定工程により前記部分画像領域の特定の表示位置を固定した後に、該固定した前記部分画像領域の特定の表示位置を起点とし、前記表示画面を移動させた際の移動量を測定することを特徴とする請求項８記載の液晶表示方法。
【請求項１２】
前記液晶表示装置は、被写体に光を照射する照射手段と、前記被写体から反射した反射光を受光する受光手段と、を前記表示画面の裏側に実装してなり、
前記測定工程は、
前記受光手段により受光した反射光を基に取得した前記被写体の移動量を基に、前記表示画面を移動させた際の移動量を測定することを特徴とする請求項８または１１記載の液晶表示方法。
【請求項１３】
前記液晶表示装置は、前記表示画面の裏側にトラックボールを実装してなり、
前記測定工程は、前記表示画面の裏側に実装されたトラックボールの回転量を基に、前記表示画面を移動させた際の移動量を測定することを特徴とする請求項８または１１記載の液晶表示方法。
【発明の詳細な説明】
【技術分野】
【０００１】
本発明は、携帯型の液晶表示装置に関し、特に、携帯電話機、ＰＨＳ（Ｐｅｒｓｏｎａｌ  Ｈａｎｄｙｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔ）などの携帯型の移動体通信端末装置に好適な液晶表示装置および液晶表示方法に関するものである。
【背景技術】
【０００２】
携帯電話機、ＰＨＳ（Ｐｅｒｓｏｎａｌ  Ｈａｎｄｙｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔ）などの移動体通信端末装置に搭載されるユーザ・インタフェースとしては、音声情報を出力するスピーカ、画像情報を出力する液晶表示装置、が挙げられる。
【０００３】
近年の移動体通信端末装置は、メールやウェブブラウジングなどの視覚的なユーザ・インタフェースが主要目的として利用されている。また、近年では、Ｍｉｃｒｏｓｏｆｔ  Ｏｆｆｉｃｅのドキュメントファイルが表示可能な移動体通信端末装置や、ＰＣ用のウェブブラウザが搭載された移動体通信端末装置が開発されている。このため、移動体通信端末装置に搭載される液晶表示装置の表示画面に表示させる情報量をできるだけ多くさせるために、液晶表示装置の高解像度化が図られているのが現状である。
【０００４】
しかしながら、移動体通信端末装置に搭載された液晶表示装置の高解像度化を図ることは技術的に困難である。このため、液晶表示装置の高解像度化を行うことなく、表示画面に表示させる情報量を多くさせるために、表示画面以外の空間に仮想画面を構築し、表示画面を移動させることで、表示画面上に仮想画面を表示させる試みがなされている。
【０００５】
なお、本発明より先に出願された技術文献として、本体に設けられると共に表示部に表示された選択項目を選択可能なマウス型の入力部と、入力部の出力信号に基づいて座標を検出し、これに基づいて表示部における表示画面又は特定情報の移動が同一平面の全方位に行えるように制御する制御部を備えることを特徴とする携帯型電話機がある（例えば、特許文献１参照）。
【０００６】
また、画像メモリに記憶した画像エリアを平面上に仮想させて固定し、この画像エリアを仮想した平面に沿って表示器を移動させることにより、表示器の位置に対応した上記画像エリア内の局部画像を表示する構造とし、表示器に表示される局部画像が画像エリアのどの部分に対応するかを簡単に知ることができる表示装置がある（例えば、特許文献２参照）。
【０００７】
また、上部に表示画像を備え表示制御部を内蔵した装置本体に、この装置本体の移動方向および移動量を検出する移動検出器が設けられ、この移動検出器からの検出信号を受けた表示制御部が装置本体の移動方向および移動量に対応させて表示画面上の表示をスクロールすることを特徴とする表示装置がある（例えば、特許文献３参照）。
【０００８】
また、携帯情報機器において、機器を机の上で平行移動させたり、手のひらにのせて片手で操作することによって、画面のスクロールや座標のポインティング操作などができるボール型入力デバイスを備えた携帯情報機器がある（例えば、特許文献４参照）。
【特許文献１】特開２００３−８６９３号公報
【特許文献２】特開平６−３２４８３２号公報
【特許文献３】特開平５−２４１７３１号公報
【特許文献４】特開２０００−２９５６８号公報
【発明の開示】
【発明が解決しようとする課題】
【０００９】
このように、上記特許文献１〜４は、装置本体の移動量に対応させて表示画面上の表示を移動させ、表示画面以外に構築された仮想画面を表示させ、表示画面に表示させる情報量をできるだけ多くさせるものである。しかしながら、上記特許文献１〜４は、表示画面に表示された特定の表示位置を固定させ、該固定した表示位置を起点として表示画面を移動させることについては何ら考慮されたものではない。このため、表示画面に表示された仮想画面の特定の表示位置を起点として表示画面を移動させた際の仮想画像を表示画面に表示することができないことになる。
【００１０】
本発明は上記事情に鑑みてなされたものであり、表示画面に表示された特定の表示位置を固定させ、該固定した表示位置を起点として表示画面を移動させ、表示画面の移動操作に更なる汎用性を持たせた液晶表示装置、移動体通信端末装置及び液晶表示方法を提供することを目的とするものである。
【課題を解決するための手段】
【００１１】
かかる目的を達成するために、本発明は以下の特徴を有することとする。
【００１２】
本発明にかかる液晶表示装置は、表示画面よりも大きい画像領域の仮想画像領域を構築し、該構築した仮想画像領域に沿って表示画面を移動させ、該移動させた表示画面の位置に対応した仮想画像領域の部分画像領域を表示画面に表示する液晶表示装置であって、表示画面に表示された部分画像領域の特定の表示位置を固定する固定手段と、固定手段により固定した部分画像領域の特定の表示位置を起点とし、表示画面を移動させ、該移動させた表示画面の位置に対応した仮想画像領域の部分画像領域を表示する表示手段と、を有することを特徴とするものである。
【００１３】
また、本発明にかかる液晶表示装置は、表示画面を移動させた際の移動量を測定する測定手段を有し、表示手段は、測定手段により測定された移動量を、固定手段により固定した部分画像領域の特定の表示位置に加算し、移動させた表示画面の位置に対応した仮想画像領域の部分画像領域を表示することを特徴とするものである。
【００１４】
また、本発明にかかる液晶表示装置は、仮想画像領域の中から表示画面に表示する部分画像領域を指定する指定手段を有し、固定手段は、指定手段により指定されて表示画面に表示された部分画像領域を基に、部分画像領域の特定の表示位置を固定することを特徴とするものである。
【００１５】
また、本発明にかかる液晶表示装置において、測定手段は、固定手段により部分画像領域の特定の表示位置を固定した後に、該固定した部分画像領域の特定の表示位置を起点とし、表示画面を移動させた際の移動量を測定することを特徴とするものである。
【００１６】
また、本発明にかかる液晶表示装置は、被写体に光を照射する照射手段と、被写体から反射した反射光を受光する受光手段と、を表示画面の裏側に実装し、測定手段は、受光手段により受光した反射光を基に取得した被写体の移動量を基に、表示画面を移動させた際の移動量を測定することを特徴とするものである。
【００１７】
また、本発明にかかる液晶表示装置において、測定手段は、表示画面の裏側に実装されたトラックボールの回転量を基に、表示画面を移動させた際の移動量を測定することを特徴とするものである。
【００１８】
また、本発明にかかる移動体通信端末装置は、上記記載の液晶表示装置を搭載したことを特徴とするものである。
【００１９】
また、本発明にかかる液晶表示方法は、表示画面よりも大きい画像領域の仮想画像領域を構築し、該構築した仮想画像領域に沿って表示画面を移動させ、該移動させた表示画面の位置に対応した仮想画像領域の部分画像領域を表示画面に表示する液晶表示装置における液晶表示方法であって、表示画面に表示された部分画像領域の特定の表示位置を固定する固定工程と、固定工程により表示画面に固定した部分画像領域の特定の表示位置を起点とし、表示画面を移動させ、該移動させた表示画面の位置に対応した仮想画像領域の部分画像領域を表示画面に表示する表示工程と、を液晶表示装置が行うことを特徴とするものである。
【００２０】
また、本発明にかかる液晶表示方法は、表示画面を移動させた際の移動量を測定する測定工程を液晶表示装置が行い、表示工程は、測定工程により測定された移動量を、固定工程により表示画面に固定した部分画像領域の特定の表示位置に加算し、移動させた表示画面の位置に対応した仮想画像領域の部分画像領域を表示画面に表示することを特徴とするものである。
【００２１】
また、本発明にかかる液晶表示方法は、仮想画像領域の中から表示画面に表示する部分画像領域を指定する指定工程を液晶表示装置が行い、固定工程は、指定工程により指定されて表示画面に表示された部分画像領域を基に、部分画像領域の特定の表示位置を固定することを特徴とするものである。
【００２２】
また、本発明にかかる液晶表示方法において、測定工程は、固定工程により部分画像領域の特定の表示位置を固定した後に、該固定した部分画像領域の特定の表示位置を起点とし、表示画面を移動させた際の移動量を測定することを特徴とするものである。
【００２３】
また、本発明にかかる液晶表示方法において、液晶表示装置は、被写体に光を照射する照射手段と、被写体から反射した反射光を受光する受光手段と、を表示画面の裏側に実装してなり、測定工程は、受光手段により受光した反射光を基に取得した被写体の移動量を基に、表示画面を移動させた際の移動量を測定することを特徴とするものである。
【００２４】
また、本発明にかかる液晶表示方法において、液晶表示装置は、表示画面の裏側にトラックボールを実装してなり、測定工程は、表示画面の裏側に実装されたトラックボールの回転量を基に、表示画面を移動させた際の移動量を測定することを特徴とするものである。
【発明の効果】
【００２５】
本発明にかかる液晶表示装置、移動体通信端末装置及び液晶表示方法は、表示画面に表示された部分画像領域の特定の表示位置を固定し、該固定した部分画像領域の特定の表示位置を起点とし、表示画面を移動させ、該移動させた表示画面の位置に対応した仮想画像領域の部分画像領域を表示画面に表示することを特徴とするものである。このように、部分画像領域の表示位置を固定し、該固定した部分画像領域の特定の表示位置を起点とし、表示画像を移動させることで、表示画面の移動操作に更なる汎用性を持たせることが可能となる。また、固定した部分画像領域の表示位置を起点とし、表示画像を移動させることで、精度の高い移動量の算出を行うことが可能となり、移動させた表示画面の位置に対応した仮想画像領域の部分画像領域を表示画面に表示させることが可能となる。
【発明を実施するための最良の形態】
【００２６】
まず、図１、図９を参照しながら、本実施形態における液晶表示装置について説明する。
【００２７】
本実施形態における液晶表示装置は、図１に示すように、表示部（４）上に表示される表示画面（４１）よりも大きい画像領域の仮想画像領域（４２）を表示画面（４１）と同一平面に構築し、該構築した仮想画像領域（４２）に沿って表示部（４）の表示画面（４１）を平行移動させ、該平行移動させた表示部（４）の表示画面（４１）の位置に対応した仮想画像領域（４２）の部分画像領域を表示部（４）の表示画面（４１）上に表示する液晶表示装置であり、表示画面（４１）に表示された部分画像領域の特定の表示位置を固定し、該固定した部分画像領域の特定の表示位置を起点とし、表示画面（４１）を平行移動させ、該平行移動させた表示画面（４１）の位置に対応した仮想画像領域（４２）の部分画像領域を表示部（４）の表示画面（４１）上に表示することを特徴とするものである。このように、表示部（４）の表示画面（４１）上に表示された部分画像領域の特定の表示位置を固定し、該固定した部分画像領域の特定の表示位置を起点とし、表示画面（４１）を平行移動させることで、表示画面（４１）の移動操作に更なる汎用性を持たせることが可能となる。また、固定した部分画像領域の表示位置を起点とし、表示画面（４１）を平行移動させることで、精度の高い移動量の算出を行うことが可能となり、平行移動させた表示画面（４１）の位置に対応した仮想画像領域（４２）の部分画像領域を表示部（４）の表示画面（４１）上に表示させることが可能となる。
【００２８】
また、本実施形態における液晶表示装置は、図１に示すように、表示部（４）上に表示される表示画面（４１）よりも大きい画像領域の仮想画像領域（４２）を表示画面（４１）と同一平面に構築し、図９に示すように、仮想画像領域（４２）に沿って表示部（４）の表示画面（４１）を回転移動させ、該回転移動させた表示部（４）の表示画面（４１）の位置に対応した仮想画像領域（４２）の部分画像領域を表示部（４）の表示画面（４１）上に表示する液晶表示装置であり、表示画面（４１）に表示された部分画像領域の特定の表示位置を固定し、該固定した部分画像領域の特定の表示位置を起点とし、表示画面（４１）を回転移動させ、該回転移動させた表示画面（４１）の位置に対応した仮想画像領域（４２）の部分画像領域を表示部（４）の表示画面（４１）上に表示することを特徴とするものである。このように、表示部（４）の表示画面（４１）上に表示された部分画像領域の特定の表示位置を固定し、該固定した部分画像領域の特定の表示位置を起点とし、表示画面（４１）を回転移動させることで、表示画面（４１）の移動操作に更なる汎用性を持たせることが可能となる。また、固定した部分画像領域の表示位置を起点とし、表示画面（４１）を回転移動させることで、精度の高い移動量の算出を行うことが可能となり、回転移動させた表示画面（４１）の位置に対応した仮想画像領域（４２）の部分画像領域を表示部（４）の表示画面（４１）上に表示させることが可能となる。以下、添付図面を参照しながら、本実施形態における液晶表示装置について詳細に説明する。
【００２９】
（第１の実施形態）
まず、図２を参照しながら、本実施形態における移動体通信端末装置の構成について説明する。なお、図２は本実施形態における移動体通信端末装置の概略構成図である。
【００３０】
本実施形態における移動体通信端末装置は、図２（ａ）に示すように、第１の筐体（１）と、第２の筐体（２）と、がヒンジ部（３）を介して回動可能に構築された折り畳み可能な移動体通信端末装置である。なお、第１の筐体（１）には、画像情報を表示する表示部（４）が設けられており、第２の筐体（２）には、移動体通信端末装置の各種の機能を操作するための操作部（５）が設けられている。
【００３１】
また、本実施形態における移動体通信端末装置は、図２（ｂ）に示すように、表示部（４）の裏側には、被写体に光を照射する照射部（６）と、照射部（６）により被写体に照
射した光の反射光を受光する受光部（７）と、が設けられている。
【００３２】
また、第１の筐体（１）の側面部には、仮想画面表示モードと、通常表示モードと、を切り替える操作ボタン（８）が設けられている。なお、仮想画面表示モードとは、図１に示すように、表示部（４）の表示画面（４１）よりも大きい画像領域の仮想画像領域（４２）を構築し、該構築した仮想画像領域（４２）の部分画像領域を表示部（４）の表示画面（４１）に表示するモードであり、通常表示モードとは、表示部（４）の表示画面（４１）と同じ大きさの画像領域を構築し、該構築した画像領域を表示部（４）の表示画面（４１）に表示する通常時の表示モードである。
【００３３】
次に、図３を参照しながら、図２に示す移動体通信装置の回路構成について説明する。なお、図３は本実施形態における移動体通信端末装置に搭載される液晶表示装置の回路構成の要部を示したものである。
【００３４】
本実施形態における移動体通信端末装置は、図３に示すように、制御部（１１）と、記憶部（１２）と、操作ボタン部（８）と、照射部（６）と、受光部（７）と、移動量算出部（１３）と、表示部（４）と、表示制御部（１４）と、操作部（５）と、を有して構成されている。
【００３５】
操作ボタン部（８）は、移動体通信端末装置に設置され、仮想画面表示モードと、通常表示モードと、を切り替えるものである。なお、操作ボタン部（８）の機能を、操作部（５）からの操作により行うように構築することも可能である。
【００３６】
照射部（６）は、被写体に光を照射するものであり、ＬＤやＬＥＤなどが挙げられる。受光部（７）は、照射部（６）が被写体に照射した光の反射光を受光し、該受光した反射光を基に被写体の画像を取得するものである。
【００３７】
移動量算出部（１３）は、受光部（７）が取得した被写体の画像を基に、移動体通信端末装置に搭載される表示部（４）が移動した際の移動量を算出するものである。表示制御部（１４）は、表示部（４）上に表示する画像情報の制御を行うものであり、例えば、文書メールの編集処理や写真等の画像処理を制御することになる。表示部（４）は、表示制御部（１４）の表示制御により制御された画像情報を表示するものである。
【００３８】
制御部（１１）は、移動量算出部（１３）により算出された表示部（４）が移動した際の移動量を基に、その移動量と等しい距離だけ平行移動した表示部（４）の表示画面（４１）の位置に対応した図１に示す仮想画像領域（４２）の部分画像領域を表示部（４）の表示画面（４１）上に表示することになる。
【００３９】
記憶部（１２）は、制御部（１１）と他のモジュール間のデータ転送を行う際に、データを一時的に格納するものである。なお、各種データは、バス（１０）を介して制御部（１１）と他のモジュール間を送受信することになる。
【００４０】
次に、図４、図５を参照しながら、本実施形態における移動体通信端末装置に搭載される液晶表示装置の液晶表示方法について詳細に説明する。
【００４１】
本実施形態における液晶表示装置は、図１に示すように、実空間に固定された表示画面（４１）よりも大きい画像領域の仮想画像領域（４２）を、表示部（４）の表示画面（４１）の同一平面に構築する。なお、図４に示すように、仮想画像領域（４２）の絶対座標ＰをＰ（ｘ，ｙ）とする。さらに、絶対座標Ｐ（ｘ，ｙ）の仮想画像領域（４２）の中で表示部（４）の表示画面（４１）内に存在する部分領域ＱをＱ（ｘ'，ｙ'）とする。すな
わち、Ｑ（ｘ'，ｙ'）は、表示部（４）の表示画面（４１）の座標となる。ここで、移動体通信端末装置の位置を決定するために、Ｐ（ｘ，ｙ）x'=0,y'=0＝Ｐ（ｐ，ｑ）とする。すなわち、Ｑ（０，０）＝Ｐ（ｐ，ｑ）となり、Ｑ（ｘ'，ｙ'）＝Ｐ（ｐ＋ｘ'，ｑ＋ｙ'）という関係となる。
【００４２】
ここで、仮想画像領域（４２）にはメール編集画面やブラウザ画面などの移動体通信端末装置に様々な画面を表示することを考える。このため、本実施形態における移動体通信端末装置の利用者は、表示部（４）の表示画面（４１）内に存在する仮想画像領域（４２）の部分領域Ｑ（ｘ'，ｙ'）を閲覧することになる。
【００４３】
この図４に示す座標状態において、図５に示すように、移動体通信端末装置の表示部（４）の表示画面（４１）を、位置Ｐ（ｘ，ｙ）x'=0,y'=0＝（ｐ，ｑ）（移動前）から、位置Ｐ（ｘ，ｙ）x'=0,y'=0＝（ｐ−ａ，ｑ−ｂ）（移動後）に平行移動させる。このとき、本実施形態における液晶表示装置は、移動体通端末装置の表示部（４）の表示画面（４１）内に存在する部分領域Ｑ（ｘ'，ｙ'）＝Ｐ（ｐ＋ｘ'，ｑ＋ｙ'）（移動前）を、Ｑ（ｘ'，ｙ’）＝Ｐ（ｐ＋ｘ'−ａ，ｑ＋ｙ'−ｂ）（移動後）のように平行移動させることになる。この平行移動により図５に示すように、ｘ軸方向に移動量ａだけ移動し、ｙ軸方向に移動量ｂだけ移動することになる。
【００４４】
なお、移動前の部分領域Ｑ（ｘ'，ｙ'）（移動前）＝Ｐ（ｐ＋ｘ'，ｑ＋ｙ'）・・・（式１）と、移動後の部分領域Ｑ（ｘ'，ｙ’）（移動後）＝Ｐ（ｐ＋ｘ'−ａ，ｑ＋ｙ'−ｂ）・・・（式２）と、の関係は、（式２）の両辺に（ａ，ｂ）を足し合わせ、Ｑ（ｘ'＋ａ，ｙ’＋ｂ）（移動後）＝Ｐ（ｐ＋ｘ'，ｑ＋ｙ'）・・・（式３）とし、（式１）と、（式３）と、により、Ｑ（ｘ'，ｙ’）（移動前）＝Ｑ（ｘ'＋ａ，ｙ'＋ｂ）（移動後）という関係式が算出されることになる。
【００４５】
従って、上記の平行移動によっても、移動体通端末装置の表示部（４）の表示画面（４１）内に存在する部分領域Ｑの移動前と、移動後と、の関係は、Ｑ（ｘ'，ｙ’）（移動前）＝Ｑ（ｘ'＋ａ，ｙ'＋ｂ）（移動後）となるため、移動体通信端末装置の使用者に対して、仮想画像領域（４２）が実空間内に固定されたように感じさせることが可能となる。
【００４６】
なお、実空間の移動量の測定は、移動体通信端末装置に実装された移動量算出部（１３）により測定することになる。移動量算出部（１３）は、位置ベクトルの物理量の変化量を基に移動量の算出処理を行うことになる。例えば、移動量算出部（１３）は、移動体通信端末装置の表示部（４）の裏側に実装された照射部（６）と、受光部（７）と、の光学式マウス機能を用いて移動量の算出処理を行うことになる。本実施形態の移動体通信端末装置は、１個の照射部（６）と、１個の受光部（７）と、を用いて移動量算出部（１３）が移動量の算出処理を行うことで、移動体通信端末装置の軽量化及び省スペース化を図ることが可能となると共に、移動体通信端末装置の移動量の算出処理を低コストで実現することが可能となる。
【００４７】
次に、図６を参照しながら、本実施形態の移動体通信端末装置の表示部（４）の表示画面（４１）に仮想画像領域（４２）を表示する際の処理動作について説明する。なお、図６は、本実施形態の移動体通信端末装置を用いて仮想画面表示モードを行う際の処理動作を示すフロチャートである。
【００４８】
まず、制御部（１１）は、移動体通信端末装置に搭載された操作ボタン（８）が押下されているか否かを判断し（ステップＳ１）、操作ボタン（８）が押下されていると制御部（１１）が判断した場合には（ステップＳ１／Ｙｅｓ）、制御部（１１）は、表示部（４
）の表示画面（４１）よりも大きい画像領域の仮想画像領域（４２）を構築し、該構築した仮想画像領域（４２）の部分画像領域を表示部（４）の表示画面（４１）に表示させることになる。また、制御部（１１）は、照射部（６）を点灯させ、光を被写体に照射することになる（ステップＳ２）。
【００４９】
次に、制御部（１１）は、表示部（４）の表示画面（４１）に表示された部分画像領域の特定の表示位置が固定され、該固定された部分画像領域の特定の表示位置を起点とし、表示部（４）が移動しているか否かを判断し（ステップＳ３）、表示部（４）が移動していると判断した場合には（ステップＳ３／Ｙｅｓ）、制御部（１１）は、部分画像領域の特定の表示位置が固定された後に、該固定された部分画像領域の特定の表示位置を起点とし、表示部（４）が移動した際の移動量を測定し、該測定した移動量を、上記固定された部分画像領域の特定の表示位置に加算し、部分画像領域の特定の表示位置が固定された後に、表示部（４）が移動した後の位置に対応した仮想画像領域の部分画像領域を表示部（４）の表示画面（４１）上に表示することになる（ステップＳ４）。
【００５０】
次に、制御部（１１）は、操作ボタン（８）の押下が終了されているか否かを判断し（ステップＳ５）、操作ボタン（８）の押下が終了されていないと判断した場合には（ステップＳ５／Ｎｏ）、制御部（１１）は、再び、表示部（４）の表示画面（４１）に表示された部分画像領域の特定の表示位置が固定され、該固定された部分画像領域の特定の表示位置を起点とし、表示部（４）が移動しているか否かを判断することになる（ステップＳ３）。
【００５１】
また、制御部（１１）は、操作ボタン（８）の押下が終了されていると判断した場合には（ステップＳ５／Ｙｅｓ）、制御部（１１）は、照射部（６）の点灯を終了させ、仮想画面領域（４２）の表示を終了し、表示部（４）の表示画面（４１）に通常の画像領域を表示させることになる（ステップＳ６）。
【００５２】
このように、本実施形態における移動体通信端末装置は、移動体通信端末装置に搭載された操作ボタン（８）を押下し、操作ボタン（８）が押下されている間は、制御部（１１）は、仮想画像領域（４２）を構築し、該構築した仮想画像領域（４２）を表示部（４）の表示画面（４１）に表示することになる。そして、移動体通信端末装置の表示部（４）の裏面側に実装された照射部（６）を点灯させることになる。
【００５３】
そして、操作ボタン（８）を押下している状態で移動体通信端末装置の受光部（７）を手のひらなどにあて移動体通信端末装置を平行移動させると、移動体通信端末装置に実装された受光部（７）は、手のひらから反射した反射光を受光し、手のひらの画像模様を取得することになる。
【００５４】
移動量算出部（１３）は、受光部（８）が取得した手のひらの画像模様を基に、移動体通信端末装置の移動量を算出することになる。なお、移動体通信端末装置の移動量の算出は、表示部（４）の表示画面（４１）に表示された部分画像領域Ｑの特定の表示位置が固定され、該固定された部分画像領域Ｑの特定の表示位置を基準点として算出することになる。さらに、制御部（１１）は、移動量算出部（１３）において算出された移動量を基に、その移動量と等しい距離を平行移動した仮想画面領域（４２）の部分画像領域Ｑを表示部（４）の表示画面（４１）上に表示することになる。
【００５５】
これにより、移動後の表示部（４）の位置に対応した仮想画像領域（４２）の部分画像領域Ｑを表示画面（４１）上に表示することが可能となる。従って、移動体通信端末装置の使用者は、仮想画像領域（４２）が実空間内に固定されたように感じることになる。
【００５６】
なお、操作ボタン（８）が押下されていない状態では、制御部（１１）は、表示部（４）の表示画面（４１）上には仮想画像領域（４２）の表示を行わず、移動体通信端末装置の実空間内の存在位置に無関係に同じ画面領域を常に表示し続けることになる。
【００５７】
このように、本実施形態における移動体通信端末装置は、部分画像領域Ｑの表示位置を固定し、該固定した部分画像領域Ｑの特定の表示位置を起点とし、表示画面（４１）を平行移動させることで、表示画面（４１）の移動操作に更なる汎用性を持たせることが可能となる。また、固定した部分画像領域Ｑの表示位置を起点とし、表示画面（４１）を平行移動させることで、精度の高い移動量の算出を行うことが可能となり、平行移動させた表示画面（４１）の位置に対応した仮想画像領域（４２）の部分画像領域Ｑを表示部（４）の表示画面（４１）上に表示させることが可能となる。また、位置ベクトルの変化量という物理量を用いて移動量を算出することで、従来の加速度情報を用いた仮想画像領域画面の構築方法で生じてしまう定常的な速度成分の残差を低減することが可能となる。また、移動量の算出処理に光学式マウスを用いることで、移動体通信端末装置の軽量化及び省スペース化を図ることが可能となると共に、移動体通信端末装置の移動量の算出処理を低コストで実現することが可能となる。
【００５８】
（第２の実施形態）
次に、第２の実施形態について説明する。
第１の実施形態における液晶表示装置は、図２（ｂ）に示すように、被写体に光を照射する照射部（６）と、被写体から反射した反射光を受光する受光部（７）と、を表示部（４）の裏側に実装し、受光部（７）により受光した反射光を基に取得した被写体の移動量を基に、表示部（４）の表示画面（４１）を移動させた際の移動量を測定することとしたが、第２の実施形態における液晶表示装置は、図７（ｂ）に示すように、表示部（４）の裏側に実装したトラックボール（２１）の回転量を基に、表示部（４）の表示画面（４１）を移動させた際の移動量を測定することを特徴とするものである。以下、図７、図８を参照しながら、第２の実施形態における液晶表示装置について詳細に説明する。なお、図７は第２の実施形態における移動体通信端末装置の概略構成図であり、（ａ）は、第１の筐体（１）と、第２の筐体（２）と、がヒンジ部（３）を介して回動可能に構築された移動体通信端末装置であり、画像情報を表示する表示部（４）と、移動体通信端末装置の各種の機能を操作するための操作部（５）と、が設けられており、第１の実施形態の移動体通信端末装置と同様な構造にて構築されている。また、（ｂ）は、表示部（４）の裏側の移動体通信端末装置の構造を示す図であり、移動量を算出するトラックボール（２１）が設けられている。また、図８は、第２の実施形態における移動体通信端末装置に搭載される液晶表示装置の回路構成の要部を示したものである。
【００５９】
第２の実施形態における液晶表示装置は、図７（ｂ）、図８に示すように、表示部（４）の背面側にトラックボール（２１）を実装し、該実装したトラックボール（２１）を回転させ、該回転した回転量を基に、移動量算出部（１３）が移動体通信端末装置の移動量を算出することになる。
【００６０】
このように、表示部（４）の裏側に実装したトラックボール（２１）の回転量を基に、表示部（４）の表示画面（４１）を移動させた際の移動量を測定することでも第１の実施形態の液晶表示装置と同様に、表示部（４）の表示画面（４１）上に表示させた部分画像領域Ｑの特定の表示位置を固定し、該固定した部分画像領域Ｑの特定の表示位置を起点とし、表示部（４）を平行移動させることで、表示部（４）の移動操作に更なる汎用性を持たせることが可能となる。また、固定した部分画像領域Ｑの特定の表示位置を起点とし、表示部（４）を平行移動させることで、精度の高い移動量の算出を行うことが可能となり、平行移動させた表示部（４）の位置に対応した仮想画像領域（４２）の部分画像領域Ｑを表示部（４）表示画面（４１）上に表示させることが可能となる。
【００６１】
（第３の実施形態）
次に、第３の実施形態について説明する。
第３の実施形態における移動体通信端末装置は、図１に示すように、表示部（４）上に表示される表示画面（４１）よりも大きい画像領域の仮想画像領域（４２）を表示画面（４１）と同一平面に構築し、図９に示すように、仮想画像領域（４２）に沿って表示部（４）の表示画面（４１）を回転移動させ、該回転移動させた表示部（４）の表示画面（４１）の位置に対応した仮想画像領域（４２）の部分画像領域を表示部（４）の表示画面（４１）上に表示する液晶表示装置である。以下、図９〜図１７を参照しながら、第３の実施形態における移動体通信端末装置について詳細に説明する。
【００６２】
まず、図１０を参照しながら、第３の実施形態における移動体通信端末装置の内部構成について説明する。なお、図１０は、第３の実施形態における移動体通信端末装置の回路構成の要部を示したものである。
【００６３】
第３の実施形態における移動体通信端末装置は、図１０に示すように、制御部（１１）と、記憶部（１２）と、操作ボタン部（８）と、回転量算出部（３１）と、センサ（３２）と、表示部（４）と、表示制御部（１４）と、操作部（５）と、を有して構成されている。
【００６４】
操作ボタン部（８）は、移動体通信端末装置に設置され、仮想画面表示モードと、通常表示モードと、を切り替えるものである。なお、操作ボタン部（８）の機能を、操作部（５）からの操作により行うように構築することも可能である。
【００６５】
センサ（３２）は、図１１に示すように、移動体通信端末装置に搭載された表示部（４）の重力方向を検出する。回転量算出部（３１）は、センサ（３２）が取得した表示部（４）の重力方向を基に、移動体通信端末装置に搭載された表示部（４）の中心線から重力方向までの偏角（図１１に示す角度θ）を算出する。これにより、回転量算出部（３１）は、表示部（４）の中心線から重力方向までの回転角θを算出することが可能となる。
【００６６】
制御部（１１）は、回転量算出部（３１）が算出した回転角θを基に、表示部（４）の表示画面（４１）を回転移動させた際の回転移動量を算出し、該算出した回転移動量を基に、表示部（４）の表示画面（４１）上に表示された部分画像領域の特定の表示位置を起点とし、表示部（４）表示画面（４１）を回転移動させた際の表示画面（４１）の位置に対応した仮想画像領域（４２）の部分画像領域を表示画面（４１）上に表示させることになる。なお、各種データは記憶部（１２）に全て格納され、バス（１０）を介して各部に送受信されることになる。
【００６７】
次に、図１２、図１３を参照しながら、本実施形態における移動体通信端末装置に搭載される液晶表示装置の液晶表示方法について詳細に説明する。
【００６８】
本実施形態における液晶表示装置は、図１に示すように、実空間に固定された表示画面（４１）よりも大きい画像領域の仮想画像領域（４２）を、表示部（４）の表示画面（４１）の同一平面に構築する。なお、図１２に示すように、仮想画像領域（４２）の絶対座標ＰをＰ（ｘ，ｙ）とする。さらに、絶対座標Ｐ（ｘ，ｙ）の仮想画像領域（４２）の中で表示部（４）の表示画面（４１）内に存在する部分領域ＱをＱ（ｘ'，ｙ'）とする。すなわち、Ｑ（ｘ'，ｙ'）は、表示部（４）の表示画面（４１）の座標となる。ここで、移動体通信端末装置の位置を決定するために、Ｐ（ｘ，ｙ）x'=0,y'=0＝Ｐ（ｐ，ｑ）とする。すなわち、Ｑ（０，０）＝Ｐ（ｐ，ｑ）となり、Ｑ（ｘ'，ｙ'）＝Ｐ（ｐ＋ｒ・ｃｏｓα，ｑ＋ｒ・ｓｉｎα）という関係となる。但し、ｒ＝ｓｑｒｔ（ｘ’2＋ｙ’2）、α
＝ａｒｃｔａｎ（ｙ’／ｘ’）、ｘ'＝ｒ・ｃｏｓα、ｙ'＝ｒ・ｓｉｎα、である。
【００６９】
ここで、仮想画像領域（４２）にはメール編集画面やブラウザ画面などの移動体通信端末装置に様々な画面を表示することを考える。このため、本実施形態における移動体通信端末装置の利用者は、表示部（４）の表示画面（４１）内に存在する仮想画像領域（４２）の部分領域Ｑ（ｘ'，ｙ'）を閲覧することになる。
【００７０】
この図１２に示す座標状態において、図１３に示すように、表示部（４）の表示画面（４１）の座標Ｑ（ｘ'，ｙ'）＝（０，０）に設定している原点を中心に＋θ［ｒａｄ］回転させたとする。このとき、移動体通信端末装置の表示部（４）の表示画面（４１）上に表示する仮想画像領域（４２）の部分領域Ｑ（ｘ'，ｙ'）＝Ｐ（ｐ＋ｒ・ｃｏｓα，ｑ＋ｒ・ｓｉｎα）を以下の（式４）のように変化させることになる。
【００７１】
Ｑ（ｘ'，ｙ'）＝Ｐ（ｐ＋ｒ・ｃｏｓ（α＋θ），ｑ＋ｒ・ｓｉｎ（α＋θ））・・・（式４）但し、ｒ＝ｓｑｒｔ（ｘ'2＋ｙ'2）、α＝ａｒｃｔａｎ（ｙ'／ｘ’）である。
【００７２】
このように、表示部（４）の表示画面（４１）上に表示する仮想画像領域（４２）の部分領域Ｑを（式４）のように変化させ、移動体通信端末装置を含む平面に仮想画像領域（４２）を描くことになる。
【００７３】
なお、移動前の部分領域Ｑ（ｒ・ｃｏｓα，ｒ・ｓｉｎα）（移動前）＝Ｐ（ｐ＋ｒ・ｃｏｓα，ｑ＋ｒ・ｓｉｎα）・・・（式５）と、移動後の部分領域Ｑ（ｒ・ｃｏｓα，ｒ・ｓｉｎα）（移動後）＝Ｐ（ｐ＋ｒ・ｃｏｓ（α＋θ），ｑ＋ｒ・ｓｉｎ（α＋θ））・・・（式４）と、の関係は、（式４）の両辺のαを（α−θ）とすると、Ｑ（ｒ・ｃｏｓ（α−θ），ｒ・ｓｉｎ（α−θ））（移動後）＝Ｐ（ｐ＋ｒ・ｃｏｓα，ｑ＋ｒ・ｓｉｎα）・・・（式６）となり、（式５）と、（式６）と、により、Ｑ（ｒ・ｃｏｓα，ｒ・ｓｉｎα）（移動前）＝Ｑ（ｒ・ｃｏｓ（α−θ），ｒ・ｓｉｎ（α−θ））（移動後）という関係式が算出されることになる。
【００７４】
従って、上記の回転移動によっても、移動体通端末装置の表示部（４）の表示画面（４１）内に存在する部分領域Ｑの移動前と、移動後と、の関係は、Ｑ（ｒ・ｃｏｓα，ｒ・ｓｉｎα）（移動前）＝Ｑ（ｒ・ｃｏｓ（α−θ），ｒ・ｓｉｎ（α−θ））（移動後）（但し、ｒ＝ｓｑｒｔ（ｘ'2＋ｙ'2）、α＝ａｒｃｔａｎ（ｙ'／ｘ’））となるため、移動体通信端末装置の使用者に対し、仮想画像領域（４２）が実空間内に固定されたように感じさせることが可能となる。
【００７５】
例えば、図１４（ａ）に示すように、回転移動前の表示画面（４１）上に表示された仮想画像領域（４２）の部分画像領域の中心の表示位置Ｑ0（ｘ0'，ｙ0'）を固定し、該固定した部分画像領域の特定の表示位置Ｑ0（ｘ'0，ｙ'0）を回転軸とし、表示画面（４１）を回転移動させた場合には、図１４（ｂ）に示すように、回転移動前の表示画面（４１）を回転移動させた位置に対応した仮想画像領域（４２）の部分画像領域を、回転移動後の表示画面（４１）上に表示することになる。
【００７６】
なお、図１３、図１４は、表示画面（４１）の座標Ｑ（ｘ'，ｙ'）＝（０，０）を中心に＋θ［ｒａｄ］回転させた場合について説明したが、表示画面（４１）の座標Ｑ（ｘ'，ｙ'）＝（０，０）の座標以外の点Ｑ1（ｘ1'，ｙ1'）を回転軸とし、該回転軸とした点Ｑ1（ｘ1'，ｙ1'）を中心に＋θ［ｒａｄ］回転させた場合も、上述した処理動作と同様に、表示部（４）の表示画面（４１）上に表示された仮想画像領域（４２）の部分画像領域の特定の表示位置Ｑ1（ｘ1'，ｙ1'）を固定し、該固定した部分画像領域の特定の表示位置Ｑ1（ｘ1'，ｙ1'）を回転軸とし、表示画面（４１）を回転移動させ、該回転移動さ
せた表示画面（４１）の位置に対応した仮想画像領域（４２）の部分画像領域を表示させることも可能である。
【００７７】
例えば、図１５（ａ）に示すように、回転移動前の表示画面（４１）上に表示された仮想画像領域（４２）の部分画像領域の特定の表示位置Ｑ1（ｘ1'，ｙ1'）を固定し、該固定した部分画像領域の特定の表示位置Ｑ1（ｘ1'，ｙ1'）を回転軸とし、表示画面（４１）を回転移動させた場合には、図１５（ｂ）に示すように、回転移動前の表示画面（４１）を回転移動させた位置に対応した仮想画像領域（４２）の部分画像領域を回転移動後の表示画面（４１）上に表示することになる。なお、図１５（ｂ）に示すように、表示画面（４１）上に表示された仮想画像領域（４２）の部分画像領域の特定の表示位置Ｑ1（ｘ1'，ｙ1'）を回転軸として回転移動させ、回転移動後の表示画面（４１）上に仮想画像領域（４２）の部分画像領域を表示する場合には、まず、図１４（ａ）に示すように、回転移動前の表示画面（４１）上に表示された仮想画像領域（４２）の部分画像領域の中心の表示位置Ｑ0（ｘ0'，ｙ0'）を回転軸とし、表示画面（４１）を回転移動させることになる。そして、図１６に示すように、回転移動前の表示画面（４１）上に表示された仮想画像領域（４２）の部分画像領域の中心の表示位置Ｑ0（ｘ0'，ｙ0'）（移動前）から、回転移動後の表示画面（４１）上に表示された仮想画像領域（４２）の部分画像領域の中心の表示位置Ｑ01（ｘ01'，ｙ01'）（移動後）までの移動量を算出し、該算出した移動量だけ、図１４（ａ）に示す回転移動後の表示画面（４１）上の表示位置を平行移動させることで、図１５（ａ）に示すように、回転移動前の表示画面（４１）を回転移動させることになり、図１５（ｂ）に示すように、回転移動後の表示画面（４１）上に仮想画像領域（４２）の部分画像領域を表示することになる。
【００７８】
なお、回転角θの算出処理は、移動体通信端末装置に搭載された回転量算出部（３１）にて行うことになる。この場合、センサ（３２）が、図１１に示すように、表示部（４）の重力方向を検出し、回転量算出部（３１）が、センサ（３２）が検出した表示部（４）の重力方向の情報を基に、図１１に示すように、移動体通信端末装置に搭載された表示部（４）の表示画面（４１）の中心線から表示部（４）の重力方向までの偏角（図１１に示す角度θ）を算出することになる。これにより、回転量算出部（３１）は、表示部（４）の中心線から重力方向までの回転角θの変化量を算出することになる。
【００７９】
次に、図１７を参照しながら、第３の実施形態における移動体通信端末装置の表示部（４）の表示画面（４１）に仮想画像領域（４２）を表示する際の処理動作について説明する。なお、図１７は、第３の実施形態における移動体通信端末装置を用いて仮想画面表示モードを行う際の処理動作を示すフロチャートである。
【００８０】
まず、制御部（１１）は、移動体通信端末装置に搭載された操作ボタン（８）が押下されているか否かを判断し（ステップＳ１１）、操作ボタン（８）が押下されていると制御部（１１）が判断した場合には（ステップＳ１１／Ｙｅｓ）、制御部（１１）は、表示部（４）の表示画面（４１）よりも大きい画像領域の仮想画像領域（４２）を構築し、該構築した仮想画像領域（４２）の部分画像領域を表示部（４）の表示画面（４１）に表示させることになる（ステップＳ１２）。
【００８１】
次に、制御部（１１）は、表示部（４）の表示画面（４１）に表示された部分画像領域の特定の表示位置が固定され、該固定された部分画像領域の特定の表示位置を起点とし、表示部（４）が回転移動しているか否かを判断し（ステップＳ１３）、表示部（４）が回転移動していると判断した場合には（ステップＳ１３／Ｙｅｓ）、制御部（１１）は、部分画像領域の特定の表示位置が固定された後に、該固定された部分画像領域の特定の表示位置を起点とし、表示部（４）が回転移動した際の回転移動量を測定し、該測定した回転移動量を、表示部（４）の表示画面（４１）上に固定表示された部分画像領域の表示位置
に加算し、部分画像領域の特定の表示位置が固定された後に、表示部（４）が回転移動した後の位置に対応した仮想画像領域の部分画像領域を、表示部（４）の表示画面（４１）上に表示することになる（ステップＳ１４）。
【００８２】
次に、制御部（１１）は、操作ボタン（８）の押下が終了されているか否かを判断し（ステップＳ１５）、操作ボタン（８）の押下が終了されていないと判断した場合には（ステップＳ１５／Ｎｏ）、制御部（１１）は、再び、表示部（４）の表示画面（４１）に表示された部分画像領域の特定の表示位置が固定され、該固定された部分画像領域の特定の表示位置を起点とし、表示部（４）が回転移動しているか否かを判断することになる（ステップＳ１３）。
【００８３】
また、制御部（１１）は、操作ボタン（８）の押下が終了されていると判断した場合には（ステップＳ１５／Ｙｅｓ）、制御部（１１）は、仮想画面領域（４２）の表示を終了し、表示部（４）の表示画面（４１）に通常の画像領域を表示させることになる（ステップＳ１６）。
【００８４】
このように、本実施形態における移動体通信端末装置は、移動体通信端末装置に搭載された操作ボタン（８）を押下し、操作ボタン（８）が押下されている間は、制御部（１１）は、仮想画像領域（４２）を構築し、該構築した仮想画像領域（４２）を表示部（４）の表示画面（４１）に表示することになる。
【００８５】
そして、回転量算出部（３１）は、センサ（３２）が取得した絶対的な重力方向ベクトルを基に、移動体通信端末装置の表示部（４）の中心線から重力方向までの偏角（図１１に示す角度θ）を算出し、移動体通信端末装置の回転移動量を算出することになる。なお、移動体通信端末装置の回転移動量の算出は、表示部（４）の表示画面（４１）に表示された部分画像領域Ｑの特定の表示位置が固定され、該固定された部分画像領域Ｑの特定の表示位置を基準点として算出することになる。さらに、制御部（１１）は、回転量算出部（３１）において算出された回転移動量を基に、その回転移動量と等しい距離を回転移動した仮想画面領域（４２）の部分画像領域Ｑを表示部（４）の表示画面（４１）上に表示することになる。
【００８６】
これにより、回転移動後の表示部（４）の位置に対応した仮想画像領域（４２）の部分画像領域Ｑを表示画面（４１）上に表示することが可能となる。従って、移動体通信端末装置の使用者は、仮想画像領域（４２）が実空間内に固定されたように感じることになる。
【００８７】
なお、操作ボタン（８）が押下されていない状態では、制御部（１１）は、表示部（４）の表示画面（４１）上には仮想画像領域（４２）の表示を行わず、移動体通信端末装置の実空間内の存在位置に無関係に同じ画面領域を常に表示し続けることになる。
【００８８】
このように、本実施形態における移動体通信端末装置は、部分画像領域Ｑの表示位置を固定し、該固定した部分画像領域Ｑの特定の表示位置を起点とし、表示画面（４１）を回転移動させることで、表示画面（４１）の移動操作に更なる汎用性を持たせることが可能となる。また、固定した部分画像領域Ｑの表示位置を起点とし、表示画面（４１）を回転移動させることで、精度の高い回転移動量の算出処理を行うことが可能となり、回転移動させた表示画面（４１）の位置に対応した仮想画像領域（４２）の部分画像領域Ｑを、表示部（４）の表示画面（４１）上に表示させることが可能となる。従って、移動体通信端末装置の表示部（４）の表示向きに関わらず、表示部（４）の表示画面（４１）上に構築した仮想画像領域（４２）を実空間に固定させることが可能となる。
【００８９】
（第４の実施形態）
次に、第４の実施形態について説明する。
第４の実施形態では、地磁気を用いて、移動体通信端末装置の表示部（４）の中心線から地磁気方向までの回転角を算出し、該算出した回転角を基に、移動体通信端末装置の表示部（４）を回転移動させた際の回転移動量を算出することを特徴とするものである。以下、第４の実施形態における移動体通信端末装置について詳細に説明する。
【００９０】
第３の実施形態のように、移動体通信端末装置の表示部（４）の中心線から表示部（４）の重力方向までの回転角を算出する場合には、表示部（４）を、鉛直方向に回転させた場合に精度良く回転移動量を算出することが可能となる。これに対し、第４の実施形態のように、移動体通信端末装置の表示部（４）の中心線から地磁気方向までの回転角を算出する場合には、表示部（４）を、水平方向に回転させた場合に精度良く回転移動量を算出することが可能となる。なお、重力方向と、地磁気方向と、の２つの情報を基に、移動体通信端末装置の表示部（４）の中心線からの回転角を算出し、該算出した回転角を基に、移動体通信端末装置の表示部（４）の回転移動量を算出するように構築することも可能である。
【００９１】
従って、本実施形態における移動体通信端末装置は、表示部（４）の中心線から表示部（４）の重力方向までの回転角を算出した情報と、表示部（４）の中心線から地磁気方向までの回転角を算出した情報と、の少なくとも１つの情報を基に、表示画面（４１）を回転移動させた際の回転移動量を算出するように構築させることも可能となる。また、表示部（４）の中心線から表示部（４）の重力方向までの回転角を算出させるか、表示部（４）の中心線から地磁気方向までの回転角を算出させるか、を選択するように構築させることも可能となる。
【００９２】
なお、上述する実施形態は、本発明の好適な実施形態であり、上記実施形態のみに本発明の範囲を限定するものではなく、本発明の要旨を逸脱しない範囲において種々の変更を施した形態での実施が可能である。
【産業上の利用可能性】
【００９３】
本発明にかかる液晶表示装置及び液晶表示方法は、携帯電話機、ＰＨＳ、ＰＤＡなどの軽量化、薄型化を図る移動体通信端末装置に適用可能である。
【図面の簡単な説明】
【００９４】
【図１】本実施形態における仮想画像領域（４２）の表示例を示す図である。
【図２】第１の実施形態における移動体通信端末装置の構成を示す図である。
【図３】第１の実施形態における移動体通信端末装置に搭載される液晶表示装置の回路構成の要部を示したものである。
【図４】本実施形態における移動体通信端末装置に搭載される液晶表示装置の液晶表示方法を説明するための第１の図である。
【図５】本実施形態における移動体通信端末装置に搭載される液晶表示装置の液晶表示方法を説明するための第２の図である。
【図６】第１の実施形態における移動体通信端末装置を用いて仮想画面表示モードを行う際の処理動作を示すフロチャートである。
【図７】第２の実施形態における移動体通信端末装置の構成を示す図である。
【図８】第２の実施形態における移動体通信端末装置に搭載される液晶表示装置の回路構成の要部を示したものである。
【図９】第３の実施形態における仮想画像領域（４２）の表示例を示す図である。
【図１０】第３の実施形態における移動体通信端末装置に搭載される液晶表示装置の回路構成の要部を示したものである。
【図１１】第３の実施形態における移動体通信端末装置に搭載される液晶表示装置の中心線から重力方向までの回転角θを示す図である。
【図１２】第３の実施形態における移動体通信端末装置に搭載される液晶表示装置の液晶表示方法を説明するための第１の図である。
【図１３】第３の実施形態における移動体通信端末装置に搭載される液晶表示装置の液晶表示方法を説明するための第２の図である。
【図１４】第３の実施形態における移動体通信端末装置の液晶表示装置に表示される回転移動例を示す第１の図である。
【図１５】第３の実施形態における移動体通信端末装置の液晶表示装置に表示される回転移動例を示す第２の図である。
【図１６】回転移動前の表示画面（４１）上に表示された仮想画像領域（４２）の部分画像領域の中心の表示位置Ｑ0（ｘ0'，ｙ0'）から、回転移動後の表示画面（４１）上に表示された仮想画像領域（４２）の部分画像領域の中心の表示位置Ｑ01（ｘ01'，ｙ01'）までの移動量を示す図である。
【図１７】第３の実施形態における移動体通信端末装置を用いて仮想画面表示モードを行う際の処理動作を示すフロチャートである。
【符号の説明】
【００９５】
１    第１の筐体
２    第２の筐体
３    ヒンジ部
４    表示部
５    操作部
６    照射部
７    受光部
８    操作ボタン部
１０    バス
１１    制御部
１２    記憶部
１３    移動量算出部
１４    表示制御部
２１    トラックボール
３１    回転量算出部
３２    センサ
４１    表示画面
４２    仮想画像領域
【図１】
2006208566.tif 000003
【図２】
2006208566.tif 000004
【図３】
2006208566.tif 000005
【図４】
2006208566.tif 000006
【図５】
2006208566.tif 000007
【図６】
2006208566.tif 000008
【図７】
2006208566.tif 000009
【図８】
2006208566.tif 000010
【図９】
2006208566.tif 000011
【図１０】
2006208566.tif 000012
【図１１】
2006208566.tif 000013
【図１２】
2006208566.tif 000014
【図１３】
2006208566.tif 000015
【図１４】
2006208566.tif 000016
【図１５】
2006208566.tif 000017
【図１６】
2006208566.tif 000018
【図１７】
2006208566.tif 000019